(57)【特許請求の範囲】
【請求項１】
（補正後）ベースプレート上に各種のタワー型電子機器を搭載するための電子機器マウンタであって、
前記ベースプレートの各角部に位置調整可能に取り付けられた複数のガイドプレートと、
前記ガイドプレートを前記ベースプレートに取り付けるための固定手段と、
前記ベースプレートおよび前記ガイドプレートのそれぞれに所定のピッチ間隔で複数形成された前記固定手段としてのビスのためのビス孔と、
前記ガイドプレートの端部に取り付けられたキャスタと、を備え、
前記ガイドプレートの内側に搭載された電子機器の基底部付近を前記ガイドプレートによって位置決めガイドするとともに、前記固定手段の前記ベースプレートに対する配設位置により前記ガイドプレートの取付位置が縦、横に調整され、フロア上を移動可能であることを特徴とするタワー型電子機器マウンタ。
【請求項２】
【請求項３】
（補正後）前記ガイドプレートは垂直ガイド部を有し、垂直ガイド部相互の内幅が縦、横に調整可能であることを特徴とする請求の範囲１に記載のタワー型電子機器マウンタ。
【請求項４】
（削除）
【請求項５】
【請求項６】
（削除）
【発明の詳細な説明】
技術分野
本発明は、パーソナルコンピュータ（以下、パソコンという）等の端末装置を含むネットワーク、たとえば特にローカルエリアネットワーク（LAN）内のパソコンやサーバ等のタワー型電子機器を搭載するのに好適な電子機器マウンタに関する。
背景技術
LAN等のネットワークにおいてサーバに複数のパソコンが接続され、該サーバを介して各パソコンとの通信が行われる。この種のネットワークではサーバは通常、オフィスフロア上の定位置に設置固定される。このサーバとパソコン等の端末装置の間を接続するためにオフィスフロアに配線ケーブルが敷設される。
サーバ、特に小型のものにあっては通常、箱型のケースもしくは枠体を有し、上述のようにオフィスフロア上に直接設置される。また、いわゆるタワー型パソコンでは、通常縦に細長い筺体内にCPUやハードディスクを収容したパソコン本体を備えている。
これらのサーバあるいはパソコン等の電子機器は特別な載置台を使わずに、フロアまたはデスク等に直接置かれ、設置後は一般に移動することがない。しかしながら、電子機器またはその周辺を清掃したい場合、あるいは機器増設等の場合に配線をやり直す場合、これらの電子機器の移動もしくは位置変更の必要が生じることがある。ところが、かなり嵩があり、しかも重量もある電子機器は簡単に移動することができず、このような清掃時等にはかなりの手間がかからざるを得なかった。
本発明はかかる実情に鑑み、特にタワー型の電子機器を搭載するのに好適な電子機器マウンタを提供することを目的とする。
発明の開示
本発明のタワー型電子機器マウンタは、ベースプレート上に各種のタワー型電子機器を搭載するための電子機器マウンタであって、前記ベースプレートの周辺部に位置調整可能に取り付けられた複数のガイドプレートを有し、ガイドプレートの内側に搭載された電子機器の基底部付近を前記ガイドプレートによって位置決めガイドするようにしたことを特徴とする。
また、本発明のタワー型電子機器マウンタにおいて、前記ガイドプレートを前記ベースプレートに取り付けるための固定手段を有し、この固定手段の前記ベースプレートに対する配設位置により前記ガイドプレートの取付位置が調整されることを特徴とする。
また、本発明のタワー型電子機器マウンタにおいて、前記ガイドプレートは垂直ガイド部を有し、垂直ガイド部相互の内幅が調整可能であることを特徴とする。
また、本発明のタワー型電子機器マウンタにおいて、前記ベースプレートの周辺部に、固定手段としてのビスのための複数のビス孔が形成されていることを特徴とする。
また、本発明のタワー型電子機器マウンタにおいて、前記ガイドプレートの端部にキャスタを備え、フロア上を移動可能であることを特徴とする。
また、本発明のタワー型電子機器マウンタにおいて、前記ガイドプレートにおけるキャスタの取付部付近に弾性シート片が敷設されることを特徴とする。
本発明によれば、マウンタのベースプレート上にタワー型電子機器を搭載する際、電子機器の基底部付近をガイドプレートによって位置決めガイドする。これにより電子機器を適正にかつ安定して載置することができ、この種の電子機器を安全に設置することができる。
特にベースプレートに対するガイドプレートの取付位置が調整可能であり、これによりガイドプレートの垂直ガイド部相互の内幅を調整可能とする。したがって載置すべき電子機器の大きさ寸法の変化に有効に対応することができ、単一の電子機器マウンタでありながら、複数種類の電子機器を搭載することができる。また、キャスタを備えることでフロア上を移動可能であり、電子機器の移動もしくは位置変更を簡単かつ迅速に行うことができる。
【図面の簡単な説明】
図１は、本発明の一実施例による電子機器マウンタの典型的な使用態様を示す斜視図である。
図２は、本発明の電子機器マウンタの平面図である。
図３は、本発明の電子機器マウンタの正面図である。
図４は、本発明の電子機器マウンタの側面図である。
図５は、本発明の一実施例による電子機器マウンタにおけるガイドプレートの取付方法の他の例を示す部分断面図である。
図６は、本発明の一実施例による電子機器マウンタに係るベースプレートのビス孔の配置構成例を示す平面図である。
図7Aおよび図7Bは、本発明の一実施例による電子機器マウンタに係るガイドプレートを示す平面図および側面図である。
図8Aおよび図8Bは、本発明による電子機器マウンタの縦向き使用形態における最小および最大セット状態を示すそれぞれ平面図である。
図9Aおよび図9Bは、本発明による電子機器マウンタの横向き使用形態における最小および最大セット状態を示すそれぞれ平面図である。
発明を実施するための最良の形態
以下、図面に基づき、本発明のタワー型電子機器マウンタの好適な実施例を説明する。
図１は、この実施例における電子機器マウンタの全体構成を示している。図において、マウンタ10はベースプレート11上にタワー型電子機器100を搭載するようになっている。ここで電子機器100としては、タワー型パソコンにおけるパソコン本体であってよく、図示のように電子機器100は通常姿勢で搭載される。
ベースプレート11は、たとえば板厚2mm程度の薄鋼板を矩形（この例では図２に示されるように長方形とする）に形成してなる。ベースプレート11の周辺部には、位置調整可能に取り付けられた複数のガイドプレート12を有する。この例ではベースプレート11の角部に４つのガイドプレート12が取り付けられる。各ガイドプレート12は、たとえば板厚2mm程度の薄鋼板を直角もしくは鍵型に折曲形成してなり、図３および図４に示すように垂直ガイド部12aと水平取付部12bを含む。電子機器100の基底部付近はガイドプレート12によって位置決めガイドされるようになっている。
ガイドプレート12をベースプレート11に取り付けるための固定手段を有している。この固定手段のベースプレート11に対する配設位置によりガイドプレート12の取付位置が調整される。この実施例では固定手段としてビス13を使用する。後述するようにベースプレート11の周辺部に、ビス13のための複数のビス孔14が形成されている。複数のビス孔14のうちから適宜のものを選択して用いることにより、ガイドプレート12の取付位置を変更することができるようになっている。
また、図３あるいは図４に示されるように各ガイドプレート12の端部にキャスタ15が取り付けられ、マウンタ10はキャスタ15によってフロア上を自在に移動可能である。この例では図２のようにマウンタ10の四隅にキャスタ15を備えるが、市販のものを用いることができる。この場合、４つのキャスタ15のうち一方側の２つをブレーキ付にするとフロア上に安定して設置することができる。また各キャスタ15は、その車輪の向きが自在に回転可能なものを使用することもできる。なお、キャスタ15の車輪の材質としては、ナイロン、ウレタンあるいはゴム等が好適である。
キャスタ15はガイドプレート12の水平取付部12b側から挿通させたビス16によって取付固定される。ビス16として皿ビスが好適であり、これによりビス16の頭部が水平取付部12bの上表面からでっぱらないようにする。ここで図５のようにガイドプレート12の水平取付部12bに、ビス16の頭部を着座させるための凹部17を形成し、図示のように水平取付部12b側から挿通させたビス16の頭部が水平取付部12bの上表面からでっぱらないようにすることもできる。
また図３に示されるようにガイドプレート12の垂直ガイド部12aの外側端部に、把手もしくはハンドル18を付設することができる。ハンドル18は、市販のものを用いてもよい。図示例のように垂直ガイド部12aの外側端部に取付部19を一体に延設し、ビス等によって取付部19にハンドル18を固定する。なお、ハンドル18はガイドプレート12ごとに設けてもよく、あるいは４つのガイドプレート12のうちからいずれか選択的に設けるようにしてもよい。
ここで、図６および図７はベースプレート11およびガイドプレート12における、特にビス13のためのそれぞれビス孔14およびビス孔14′の配置構成例を示している。図６に示されるようにベースプレート11の周辺部、すなわち長方形の各角部に一群のビス孔14が設けられる。この例ではたとえば10mmのピッチ間隔で全体が概略Ｔ字状となるように多数のビス孔14が列設配置される。また、ガイドプレート12には図7Aに示されるように、10mmあるいは20mmのピッチ間隔で複数のビス孔14′が設けられる。この例ではビス孔14′は長方形となるように列設配置される。
ガイドプレート12をベースプレート11に取り付ける場合、たとえば図２の例のように２つのビス13を用いる。このとき２つのビス13相互の間隔は、数10mm程度となるようにし、このような間隔を与え得るビス孔14およびビス孔14′の組を、ベースプレート11およびガイドプレート12からそれぞれ選択する。
上記の場合、ガイドプレート12の水平取付部12bの上表面、特にキャスタ15の取付部付近（図２あるいは図３において、斜線により示す）に弾性シート片20もしくはその同等物を敷設するとよい。この弾性シート片20として、防振作用を有する防振ゴム片等が好適である。
本発明によれば、マウンタ10のベースプレート11上にタワー型電子機器を搭載する際、図１のように電子機器100の基底部付近をガイドプレート12によって位置決めガイドする。これにより電子機器100を適正にかつ安定して載置することができ、この種の電子機器を安全に設置することができる。
特にベースプレート11に対するガイドプレート12の取付位置が調整可能である。上述したようにガイドプレート12をベースプレート11に取り付ける際に、ビス13を通すためのビス孔14およびビス孔14′の組を選択することでガイドプレート12の垂直ガイド部21a相互の内幅を調整可能とすることができる。たとえば、図２に示したようにガイドプレート12の内幅Ｗ1 およびＷ2 は、Ｗ1 ＝200〜400mm程度、またＷ2 ＝400〜500mm程度の範囲で自在に変化させることができる。なお、この内幅寸法の調整範囲は、ベースプレート11およびガイドプレート12の具体的寸法に応じて、適宜自由に設定可能であり、これらの数値にのみ限定されるものではない。したがって単一の電子機器マウンタ10でありながら、特に大きさ寸法の異なる複数種類の電子機器を搭載することができる。
また、本発明によればマウンタ10は、キャスタ15を備えることでフロア上を移動可能である。これにより搭載した電子機器100の移動もしくは位置変更を簡単かつ迅速に行うことができる。電子機器100またはその周辺を清掃したい場合、あるいは機器増設等の場合に配線をやり直す場合、これらの作業を容易かつ簡単に行うことができる。
ここで図８および図９は、本発明の電子機器マウンタ10の具体的な使用形態の例を示している。
前述のようにガイドプレート12の取付位置は調整可能であり、実使用においては電子機器100に合わせて先ず、ベースプレート11を縦向き（図８）にするか横向き（図９）にするかを決定する。マウンタ10の組立に際して、左右および前後が対称となるようにして、電子機器10がガイドプレート12の内側にぴったりと収まるようにガイドプレート12の取付位置を設定する。
図８のように電子機器マウンタ10を特に縦向きで使用する場合、各ガイドプレート12を図8Aのように最も内側に寄せてセットすることで、縦、横寸法を図示例のようにＷ1 ＝300mm、Ｗ2 ＝200mmの最小寸法に設定することができる。また、各ガイドプレート12を図8Bのように最も外側に寄せてセットすることで、縦、横寸法を図示例のようにＷ1 ＝500mm、Ｗ2 ＝300mmの最大寸法に設定することができる。
あるいはまた、図９のように電子機器マウンタ10を横向きで使用する場合、各ガイドプレート12を図9Aのように最も内側に寄せてセットすることで、縦、横寸法を図示例のようにＷ1 ＝400mm、Ｗ2 ＝300mmの最小寸法に設定することができる。また、各ガイドプレート12を図9Bのように最も外側に寄せてセットすることで、縦、横寸法を図示例のようにＷ1 ＝500mm、Ｗ2 ＝400mmの最大15  寸法に設定することができる。
本発明を具体的数値例等に基づき説明したが、本発明はそのような数値のみに限定されるものではなく、必要に応じて適宜変更可能である。また、特にタワー型パソコンにおけるパソコン本体のみならず、この種の箱型電子機器を搭載する場合に有効に適用可能であり、上記と同様な作用効果を得ることができる。
産業上の利用可能性
以上説明したように本発明によれば、特にタワー型の電子機器を搭載する際、電子機器を適正にかつ安定して載置することができ、この種の電子機器を安全に設置することができる。また、設置すべき電子機器の大きさ寸法の変化に有効に対応することができ、単一の電子機器マウンタでありながら、複数種類の電子機器を搭載することができる。さらに、電子機器の移動もしくは位置変更を簡単かつ迅速に行うことができ、作業を円滑に行うことができる。
【図１】
0003540274.tif 000002
【図５】
0003540274.tif 000003
【図２】
0003540274.tif 000004
【図３】
0003540274.tif 000005
【図４】
0003540274.tif 000006
【図６】
0003540274.tif 000007
【図７Ａ】
0003540274.tif 000008
【図７Ｂ】
0003540274.tif 000009
【図８Ａ】
0003540274.tif 000010
【図８Ｂ】
0003540274.tif 000011
【図９Ａ】
0003540274.tif 000012
【図９Ｂ】
0003540274.tif 000013